(57)【特許請求の範囲】
【請求項１】
画像データ、電子メールアドレス、及び、即時送信するかデータ蓄積するかの指示を、ローカル無線通信によって受信するためのローカル無線通信インターフェイス手段と、
公衆回線を用いてメールを送信するための公衆回線通信手段と、
前記ローカル無線通信インターフェイス手段によって受信された前記画像データを添付したメールを公衆回線に送信するためのメールプログラムを起動するように制御する制御手段とを備え、
前記制御手段は、前記ローカル無線通信インターフェイス手段によって受信された電子メールアドレスを設定し、
即時送信する指示が受信された場合、前記画像データを添付したメールを送信し、
データ蓄積する指示が受信された場合、メールプログラムを起動した状態でメールの自動送信動作を終了することを特徴とする回線通信装置。
【請求項２】
画像データ、電子メールアドレス、及び、即時送信するかデータ蓄積するかの指示を、ローカル無線通信によって画像入出力装置から受信し、
前記ローカル無線通信によって受信した前記画像データ添付したメールを公衆回線に送信するためのメールプログラムを起動し、
前記ローカル無線通信によって受信した電子メールアドレスを設定し、
即時送信する指示が受信された場合、前記ローカル無線通信によって受信した前記画像データを添付したメールを送信し、
データ蓄積する指示が受信された場合、メールプログラムを起動した状態でメールの自動送信動作を終了することを特徴とする回線通信装置の制御方法。
【発明の詳細な説明】
【０００１】
【発明の属する技術分野】
本発明は、通信に公衆回線を用いる回線通信装置、及び、その制御方法に関するものである。
【０００２】
【従来の技術】
近年のインターネットの普及により、容易にメールの交換やＷｅｂアクセスによる情報の入手が可能となり、公衆回線接続機能を有するパーソナルコンピュータ（以下ＰＣ）の普及が急速に進んでいる。
【０００３】
同様に移動無線電話機においても無線回線がデジタル化され、ＰＨＳ（パーソナル・ハンディーフォン・システム）や携帯電話に代表されるデジタル無線電話で、文字メール機能や簡易的なＷｅｂブラウザ機能を実現できるようになっている。更に最近ではインターネット標準プロトコルに対応した電話機サービスなども市場に投入され、ＰＣに搭載されているｅ−ｍａｉｌ機能やＷｅｂアクセス機能に類似した機能を有するデジタル無線電話の普及が見込まれる。
【０００４】
このｅ−ｍａｉｌやＷｅｂでは多くの画像データが扱われており、画像はスキャナーやデジタルスティールカメラ（以下デジタルカメラ）から、転送したい画像データを一旦ＰＣに取り込み、ｅ−ｍａｉｌ添付による転送やホームページ゛へのアップロードなどを行う方法が一般的である。この画像取り込みには、従来専用デジタルインターフェイスやＵＳＢ（ユニバーサル・シリアル・バス）などを用いていたが、ケーブル接続の煩わしさを解消するために、現在ケーブルの変わりにローカルにデータを無線伝送するローカル無線インターフェイスの方式が検討され、実用化が目前に迫っている。
【０００５】
【発明が解決しようとする課題】
しかしながら上記従来例において、デジタルカメラ等の画像入出力装置から画像データを、ＰＣもしくは携帯電話等の公衆回線通信機能を備えた回線通信装置へ取り込み、その後、所望の場所に画像データを転送する場合、画像入出力装置と回線通信装置の双方を操作する必要が有り、ユーザーに煩わしい操作を要求するといった問題点が有った。
【０００６】
また、この問題の解決方法として画像入出力装置に、携帯電話等で実装されているような公衆回線通信アプリケーションを組み込み、回線通信装置のモデム機能を使ってダイアルアップ接続し、ｅ−ｍａｉｌやＷｅｂへ画像データを転送する方法が有るが、この構成では画像入出力装置のコストアップを招き、更に回線通信装置の持つリソースを用いずに、画像入出力装置に同様の機能を持たせるために、ユーザーに不要な投資をさせてしまうといった問題点が有る。
【０００７】
またダイアルアップによる通信を行う場合、モデムを介して回線交換型のデータ転送を行うため、ローカル通信の伝送速度が高速の場合においても、公衆回線の伝送速度に制限されることからローカル通信の性能を十分に活用することができず無駄になってしまうといった問題が発生し、更に転送時間がかかるために、画像入出力装置の電力消費量が増えてしまうといった問題点も発生する。
【０００８】
本発明の目的は、回線通信装置に備えられたメールプログラムを有効に活用して、画像入出力装置から指定された電子メールアドレスへ送信することができる回線通信装置及びその制御方法を提供することにある。
【０００９】
【課題を解決するための手段】
上記目的を達成するために、請求項１記載の回線通信装置は、画像データ、電子メールアドレス、及び、即時送信するかデータ蓄積するかの指示を、ローカル無線通信によって受信するためのローカル無線通信インターフェイス手段と、公衆回線を用いてメールを送信するための公衆回線通信手段と、前記ローカル無線通信インターフェイス手段によって受信された前記画像データを添付したメールを公衆回線に送信するためのメールプログラムを起動するように制御する制御手段とを備え、前記制御手段は、前記ローカル無線通信インターフェイス手段によって受信された電子メールアドレスを設定し、即時送信する指示が受信された場合、前記画像データを添付したメールを送信し、データ蓄積する指示が受信された場合、メールプログラムを起動した状態でメールの自動送信動作を終了することを特徴とする。
【００１０】
請求項２の回線通信装置の制御方法は、画像データ、電子メールアドレス、及び、即時送信するかデータ蓄積するかの指示を、ローカル無線通信によって画像入出力装置から受信し、前記ローカル無線通信によって受信した前記画像データ添付したメールを公衆回線に送信するためのメールプログラムを起動し、前記ローカル無線通信によって受信した電子メールアドレスを設定し、即時送信する指示が受信された場合、前記ローカル無線通信によって受信した前記画像データを添付したメールを送信し、データ蓄積する指示が受信された場合、メールプログラムを起動した状態でメールの自動送信動作を終了することを特徴とする。
【００２０】
【発明の実施の形態】
以下、図面を参照しながら本発明の実施の形態について説明する。
【００２１】
（第１の実施の形態）
図１は本発明の第１の実施の形態に係るデータ転送方法を実施するシステムの構成図である。
【００２２】
図１に示すように、このシステムは、画像データを無線によって送信するローカル通信機能を有するデジタルカメラ（画像入出力装置）１０１、デジタルカメラ１０１から画像データを受信するローカル通信機能と公衆回線を用いてメールを送受信する送受信機能とを有する携帯電話２０１（回線通信装置）、及び携帯電話２０１が画像データを伝送する公衆回線網から構成されている。
【００２３】
なお、画像入出力装置は、デジタルカメラに限らず、画像データをデジタルデータとして一時保存または保存する機能と、保存された画像データを出力する機能（例えば、画像サーバー機能）を有するＰＤＡ（Ｐｅｒｓｏｎａｌ  Ｄｉｇｉｔａｌ  Ａｓｓｉｓｔａｎｔ）等であってもよい。
【００２４】
また、回線通信装置は、携帯電話に限らず、ＰＨＳ等のデジタル無線電話や、回線接続機能を有するＰＣ等の機器であってもよい。
【００２５】
図２は、図１におけるデジタルカメラ１０１の背面図である。
【００２６】
図２に示すように、デジタルカメラ１０１の背面には、影する被写体を確認したり、撮影した画像を確認したり、通信設定メニュー等を表示したりするための表示部１０２が左寄りに配設されている。表示部１０２よりも下方には、再生画像の切り替えやソフトウエアキーボードのキー入力選択等、デジタルカメラ操作を行うためのスイッチ１０３が配設されている。右端に配設されたモード切り替えスイッチ１０４は、携帯電話２０１との間で通信をするためのローカル通信モードのメニューを表示させるためのスイッチである。
【００２７】
次に、図３から図６まで及び図８から図１０までを参照して、デジタルカメラにおける、ローカル通信モードの主要な処理を説明する。
【００２８】
図３と図４は、第１の実施の形態に係るデータ転送方法を実施するデジタルカメラ１０１におけるローカル通信モードの制御を示すフローチャートである。図５は、ローカル通信モードの制御における画像選択動作を示すフローチャートである。図６は、第１の実施の形態に係るデータ転送方法を実施する携帯電話２０１におけるローカル通信モードの制御を示すフローチャートである。図８と図９は、ローカル通信モード中に表示部１０２に表示される各種の画面を例示する図である。図１０は、図１におけるデジタルカメラ１０１と携帯電話２０１との間のローカル通信シーケンスを示すシーケンスチャートである。
【００２９】
なお、本発明で用いるローカル通信機能は、例えば周波数ホッピング方式を用いた無線通信インターフェイスなどのデジタル無線通信技術を用いる事を前提としている。
【００３０】
デジタルカメラ１０１のローカル通信モード切り替えスイッチ１０４を押すと、デジタルカメラ１０１は、図３に示すローカル通信モード（Ｓ４０１）に移行する。これによって、デジタルカメラ１０１の表示部１０２にはローカル通信モードの初期画面６０１（図８参照）のメニュー表示がされる（ステップＳ４０２）。
【００３１】
ユーザーが選択スイッチ１０３を操作（キー選択操作）して（ステップＳ４０３でＹＥＳ）、初期画面６０１のメニューからローカル通信モードで使用できる機能一覧表示を選択すると（ステップＳ４０４でＹＥＳ）、ローカル通信で使用できる機能の一覧表示画面６０２が表示画面１０２に表示される（ステップＳ４０５）。ユーザーがキー選択操作して（ステップＳ４０６でＹＥＳ）、一覧表示画面６０２から回線接続を選択したときは（ステップＳ４０７でＹＥＳ）、メール添付指示ステップＳ４０８に移行し、回線接続を選択したことの選択情報を一時保存する。
【００３２】
ユーザが一覧表示画面６０２から回線接続を選択せずに（ステップＳ４０７でＮＯ）、ファイル転送を選択したときは（ステップＳ４２１でＹＥＳ）、ファイル転送指示ステップＳ４２２に移行し、ファイル転送を選択したことの選択情報を一時保存する。これらの選択情報をデジタルカメラ１０１が一時保存すると、転送すべき画像を選択するための画像選択動作（ステップＳ４０９）に移行する。
【００３３】
ここで、この画像選択動作について図５を参照しながら説明する。
【００３４】
上述したステップＳ４０９で画像選択動作に入ると、デジタルカメラ１０１はファイルリスト取得ステップ（Ｓ４２９）に移行し、画像データを保存しているメディア（例えば、コンパクトフラッシュ（登録商標）カード等のメモリカードやハードディスク）から、保存されているすべての画像データファイルの情報を取得する。
【００３５】
次に、ファイルリストの数から、表示画面１０２にすべてのサムネイル画像を一画面に表示（１画面表示）できるか否かを判別し（ステップＳ４３０）、保存されている画像が無いか少ないためにすべての画像が表示できる場合（ステップＳ４３０でＹＥＳ）は、保存されているサムネイル画像の全画像データを取得する（ステップＳ４３１）。ステップＳ４３０の判別の結果、保存されている画像ファイルが一画面に表示できない場合（ステップＳ４３０でＮＯ）は、表示可能枚数分の画像データを取得し（ステップＳ４３２）、残りの画像ファイル数から表示ページ情報を算出して画像ページ情報の記憶を行う（ステップＳ４３３）。
【００３６】
表示画面１０２に表示するサムネイルデータの取得が完了すると、選択画像表示を行う（ステップＳ４３４）。これによって、画像選択画面６０３が表示部１０２に表示される。ユーザーは表示されたサムネイル画像の番号もしくはサムネイル画像を操作スイッチ１０３の操作によって選択し登録操作を行うと（ステップＳ４３５でＹＥＳ）、内部では選択された画像のファイル名（選択ファイル番号）を登録データとして保存する（ステップＳ４３６）。ユーザーが複数の画像を選択する場合は、上記操作（Ｓ４３５，Ｓ４３６）を繰り返すことで複数の選択画像情報が登録される。
【００３７】
一連の登録操作が終了してユーザが画像選択終了を選択すると（ステップＳ４３７でＹＥＳ）、デジタルカメラ１０１はこの記憶された画像選択情報を内部メモリ又は画像データを保存する記録メディアにファイルとして保存し、画像登録完了指示セットを行って（ステップＳ４３８）、画像選択動作処理を終了し、次の確認画面表示ステップ（Ｓ４１０）に移行する。
【００３８】
確認画面表示ステップ（Ｓ４１０）において動作指示メニュー表示画面６０４を表示し、ユーザーからの操作指示を待機する（ステップＳ４１１、図４参照）。ここで、ユーザーが登録画像確認を選択すると（ステップＳ４２５でＹＥＳ）、デジタルカメラ１０１では、登録画像確認動作（ステップＳ４２６）によって、先にユーザーが登録した登録データを基に画像データの読み出しを行い、登録されている画像のサムネイル画像を表示部１０２に表示する（６０５）。ユーザーが登録されているデータの変更を行う場合は、削除もしくは再登録を選択し登録データの変更操作を行う。
【００３９】
動作指示メニュー表示画面６０４の登録端末一覧を選択した場合（ステップＳ４２７でＹＥＳ）、既にデジタルカメラに登録されているローカル通信機能を有する機器が登録端末表示動作（ステップＳ４２８）によって表示される。
【００４０】
また、動作指示メニュー表示画面６０４の端末検索を選択した場合（ステップＳ４１２でＹＥＳ）、デジタルカメラ１０１では、機器検索動作（ステップＳ４１３）に移行し、通信圏内にあるローカル通信装置に対して問い合わせ信号を送出する。
【００４１】
ローカル通信装置からの応答信号を受信した端末の一覧を端末検索動作結果表示画面６０７に表示する。この検索された端末の一覧から、ユーザーによる任意の端末（例えば携帯電話）の接続指示操作の有無を判別する（ステップＳ４１４）。
【００４２】
ローカル通信端末を選択し接続指示がなされると（ステップＳ４１４でＹＥＳ）、デジタルカメラ１０１は、ローカル通信動作（ステップＳ４１５）の処理において、始めに下位プロトコルによる接続を行い、続いて、先に機能一覧選択ステップ（Ｓ４０４）で保存された動作指示情報（例えば、回線接続選択（Ｓ４０７）で選択されたメール添付指示）に基づいて、上位プロトコルにおいて画像データのメール添付送信要求を送出する。この要求を受けた携帯電話２０１では、メール添付送信要求を解析し、同機能がサポートされている場合は要求を保持し、引き続き転送すべき画像データの受信を待機する。
【００４３】
携帯電話２０１により要求が受け付けられるとデジタルカメラ１０１は、引き続き先に登録された画像選択情報に基づいて画像ファイルを読み出し、携帯電話２０１に転送を開始する。そして、登録されているすべての画像データの転送が完了すると（ステップＳ４１７でＹＥＳ）、表示部１０２にデータ転送完了メッセージを表示し、ユーザーからの指示を待機する（ステップＳ４１９）。ここでユーザーが切断を指示した場合（ステップＳ４１９でＹＥＳ）、ローカル通信路の切断動作（ステップＳ４２０）に移行して切断を行った後、ローカル通信初期画面６０１を表示部２０２に表示し一連の動作を完了する。
【００４４】
次に、図６を参照しながら携帯電話２０１におけるローカル通信モードの制御について説明する。
【００４５】
図６の処理において、デジタルカメラ１０１からローカル通信によって接続要求が出されると（ステップＳ５０２でＹＥＳ）、まずデジタルカメラ１０１の動作と同様に、下位プロトコルによる接続動作を行う（ステップＳ５０３）。下位プロトコルによる接続が完了すると、続いて上位プロトコルによる画像データ受信処理に関する要求の解析としてサービス確認動作を行う（ステップＳ５０４）。このサービス確認動作で、受信されたサービス要求に対して携帯電話が機能をサービスしていない場合（サービス要求と機能が一致していない場合）（ステップＳ５０５でＮＯ）は、接続拒否動作（ステップＳ５０６）においてサービスが不一致である旨デジタルカメラ１０１に通知し、下位プロトコルで接続された通信路を切断して本処理を終了する。
【００４６】
また、要求された処理がサポートされている機能の場合（ステップＳ５０５でＹＥＳ）、続いて伝送される画像データを回線接続要求ステップ（Ｓ５０７）によって判別し、判別の結果に応じて処理を行う。なお、本実施の形態では、説明を簡略化するために、携帯電話の画像データを扱うサービスとして回線接続とファイル転送のみで記載しているが、他のサービスに対応した判別も加えられる。
【００４７】
具体的には、例えば要求が画像データのファイル転送の場合（ステップＳ５０７でＮＯ）、画像データ受信ステップ（Ｓ５１４）に移行して画像データを受信したときは（ステップＳ５１４でＹＥＳ）、受信した画像データは携帯電話２０１内に保存される（ステップＳ５１５）。この処理は画像データが全て受信されるまで続けられる。
【００４８】
一方、要求がメール添付転送の場合（ステップＳ５０７でＹＥＳ）、画像データ受信ステップ（Ｓ５０８）に移行して同様に画像データを受信し（ステップＳ５０８でＹＥＳ）、受信された画像データを一時保存する（ステップＳ５０９）。次に、データの受信完了を判別する（ステップＳ５１０）。画像データが全て受信されるまでこの動作を繰り返す。ステップＳ５１０の判別の結果、全ての画像のデータ受信が完了した場合は（ステップＳ５１０でＹＥＳ）、デジタルカメラ１０１からの切断要求が有るか否かを判別する（ステップＳ５１１）。デジタルカメラ１０１からの切断要求が有る場合は、切断動作（ステップＳ５１２）によってローカル通信路を切断した後に、メーラー起動動作（ステップＳ５１３）によってメールを公衆回線に転送するために必要なアプリケーションを自動的にたちあげてローカル通信を終了する。
【００４９】
次に、図７を参照しながらローカル通信終了後の携帯電話２０１における処理を説明する。
【００５０】
図７は、ローカル通信終了後のメール送信処理を示すフローチャートである。
【００５１】
ローカル通信処理が終了し、メール転送プログラムが携帯電話２０１で立ち上がると、まず初めに自動送信要求の有無を判別するステップ（Ｓ５１７）により起動要因がローカル通信からの要求による起動かどうかを確認する。確認した結果が通常操作による起動の場合（Ｓ５１７でＮＯ）、通常動作ステップ（Ｓ５１８）に移行して通常のメール動作を行う。
【００５２】
また、ローカル通信からの要求による立ち上げだと判断した場合（Ｓ５１７でＹＥＳ）、携帯電話２０１は、宛名登録の有無を判別するステップＳ５１９に移行する。ローカル通信からメール添付転送要求が来た場合のメール送信先が登録されているかどうかの確認を行い、登録されていない場合（Ｓ５１９でＮＯ）、登録要求メッセージ表示ステップ（Ｓ５２９）に移行する。このステップＳ５２９で携帯電話２０１の表示部に宛先登録メッセージを表示し、メールの自動送信動作を中断して本処理を終了する。この際、ローカル通信により受信した画像データは一時保存された状態となる。このとき、メモリーに余裕がある場合はデータ転送動作と同様にデータを保存しても良い。
【００５３】
一方、あらかじめメールの宛先アドレス等の情報が登録されている場合（Ｓ５１９でＹＥＳ）、まず有効転送データの有無を判別するステップ（Ｓ５２０）に移行する。このステップＳ５２０で転送すべき有効な画像データが保存されているかどうかの確認を行い、有効データが保存されているときは（Ｓ５２０でＹＥＳ）、登録情報の読み出しを行う（ステップＳ５２１）。次に、メール設定動作ステップ（Ｓ５２２）でメールへの画像添付を含む設定を実行し、公衆回線接続動作（ステップＳ５２３）を実行する。
【００５４】
ステップＳ５２３では、まず回線接続し、引き続きメールサーバーへ接続を行う。ここで、携帯電話２０１が通信圏外などの障害を抱えている場合、回線接続判別ステップ（Ｓ５２４）で回線接続状態を判別し、回線が接続されていないときは（Ｓ５２４でＮＯ）、接続動作がタイムアウトするまでは（ステップＳ５３０でＹＥＳ）、回線接続動作を繰り返す。接続動作がタイムアウトになった場合は、携帯電話２０１の表示部にエラーメッセイージを表示し（ステップＳ５３１）、メールの自動送信動作は終了する。このときに一時保存された画像データは、宛先が登録されていない場合のエラー処理同様、画像データの一時保存を保持しておくこともできるし、メモリーに保存しても良い。
【００５５】
回線接続が完了し、メール送信ができる状態になると（Ｓ５２４でＹＥＳ）、ステップＳ５２５で先に設定したメールに画像データを添付した形でこのメールをメールサーバーへ伝送し、メール送信が完了すると（ステップＳ５２６でＹＥＳ）、回線切断動作ステップ（Ｓ５２７）で公衆回線を切断する。続いて、一時保管した画像データをクリアする（ステップＳ５２８）。
【００５６】
（第２の実施の形態）
次に、図１１から図２０までを参照しながら本発明の第２の実施の形態にかかるデータ転送方法について説明する。なお、データ転送方法を実施するシステムは第１の実施の形態と同様にデジタルカメラ１０１、携帯電話２０１、及び公衆回線網から構成されているので、それらの説明は省略する。
【００５７】
図１１と図１２は、第２の実施の形態に係るデータ転送方法を実施するデジタルカメラ１０１におけるローカル通信モードの制御を示すフローチャートである。図１３は、ローカル通信モードの制御における画像選択動作を示すフローチャートである。図１４と図１５は、第２の実施の形態に係るデータ転送方法を実施する携帯電話２０１におけるローカル通信モードの制御を示すフローチャートである。図１７から図１９までは、ローカル通信モード中に表示部１０２に表示される各種の画面を例示する図である。図２０は、デジタルカメラ１０１と携帯電話２０１との間のローカル通信シーケンスを示すシーケンスチャートである。
【００５８】
なお、図１３に示した画像選択動作は、図５と共通である。
【００５９】
第１の実施の形態では、デジタルカメラ１０１からの回線接続を行う場合に、あらかじめ公衆回線接続機能を有する携帯電話２０１に転送先のメールアドレスやメッセ−ジ等の情報を登録し、ローカル通信によるデジタルカメラ１０１からの要求に応じて、この登録された情報を用いて画像データの転送を行わせていた。第２の実施の形態では、ローカル通信において回線等の接続情報を画像入出力装置から転送する機能を付加することにより、登録情報を基に画像データ転送を行うか、転送された新たな情報を基に画像データ転送を行うかを選択できる。
【００６０】
次に、デジタルカメラ１０１における、ローカル通信モードの主要な処理を説明する。
【００６１】
図１１と図１２に示した処理において、先ず、デジタルカメラ１０１のローカル通信モード切り替えスイッチ１０４を押すと、デジタルカメラ１０１はローカル通信モード（Ｓ８０１）に移行する。これによって、デジタルカメラ１０１の表示部１０２にはローカル通信モードの初期画面１００１（図１７参照）のメニュー表示がされる（ステップＳ８０２）。
【００６２】
ユーザーが選択スイッチ１０３を操作（キー選択操作）して（ステップＳ８０３でＹＥＳ）、初期画面１００１のメニューからローカル通信モードで使用できる機能一覧表示を選択すると（ステップＳ８０４でＹＥＳ）、ローカル通信で使用できる機能の一覧表示画面１００２が表示画面１０２に表示される（ステップＳ８０５）。この画面からユーザーが回線接続を選択すると（ステップＳ８０６でＹＥＳ）、最後に設定された情報を表示した接続情報設定画面１００３が接続設定動作（ステップＳ８０７）によって表示画面１０２に表示される。接続情報設定画面１００３は、宛先のニックネーム、インターネットサービスプロバイダーのアクセスポイント等の電話番号、メールアドレスの設定を行う画面である。ここで、表示される情報は最終設定情報と記載されているが、例えば電話帳のように接続情報をニックネームにより管理するようなデータベースを用い、登録データを選択表示させることも可能である。
【００６３】
この接続設定動作が完了すると（ステップＳ８０７）、次にデジタルカメラ１０１は、転送設定画面１００４を表示させる。この転送設定画面１００４は、転送された画像等のデータ処理要求の選択を行う（ステップＳ８０８）ための画面である。ここで図示しないが、ＦＴＰアップロードが選択された場合は、上記の接続情報のほかに必要な情報（ＦＴＰサーバーの指定等）設定画面が表示され、この画面により設定確認及び変更を行う。本実施の形態では、転送設定のサブメニューとして記載したが、接続情報設定画面上または、別ページにより設定することも可能である。
【００６４】
転送設定画面１００４においてメールが選択されると、メール設定メニュー画面１００５が表示される。この画面では画像選択動作（ステップＳ８０９）によってメッセージ編集ならびに添付した画像の画像選択ができる。メッセージ編集が選択された場合、テキストベースのメール入力並びに編集画面に移行しメールの本文を作成テキストファイルとして保存する。次の確認画面表示ステップ（Ｓ８１０）では、登録画像確認画面１００８が表示される。登録画像確認画面１００８に表示された登録済みの画像がすべて削除された場合は、画像データを添付せずにテキストメールのみを転送することとなる。
【００６５】
回線接続機能において、一連の接続設定が終了するとデジタルカメラは第１の実施の形態におけると同様に動作指示メニュー表示画面１０１１を表示させ、ユーザーからの動作指示を待機する（ステップＳ８１１）。
【００６６】
動作指示メニュー表示画面１０１１からキー操作によって端末検索を選択し、検索された端末から接続機器を選択し（ステップＳ８１１でＹＥＳ）、接続指示操作によって接続要求が指示されると（ステップＳ８１２でＹＥＳ）、デジタルカメラ１０１は第１の実施の形態における記載手順と同様にローカル通信動作ステップ（Ｓ８１３）で下位プロトコルからローカル通信接続を開始し所望のデータ通信を行う。
【００６７】
次に、転送設定画面１００４においてメール転送が選択された場合の通信シーケンスについて図２０に沿って説明する。
【００６８】
デジタルカメラ１０１においてメールによる画像データ転送が選択された場合、上述の一連の手順により携帯電話２０１との間で下位プロトコルによる接続が行われ、次に上位プロトコルによるサービスの確認動作が行われる。携帯電話１０１がサポートしているサービスと要求サービスが一致していることが確認されると、初めにデジタルカメラ１０１より回線接続情報が転送され、続いてデジタルカメラ１０１にメールのテキストデータが保存されている場合は、テキストデータの転送が行われる。テキストデータの転送が終了すると、続いて添付画像データファイルの転送が行われ、転送終了後は通信状態表示画面の切断指示が出されるまで、通信路の接続は確保された状態となる。
【００６９】
次に、図１４と図１５を参照しながら携帯電話２０１におけるローカル通信モードの制御について説明する。
【００７０】
上述の一連の動作により下位プロトコルによる接続動作が下位層接続動作ステップ（ステップＳ９０１）で完了し、サービス確認動作ステップ（ステップＳ９０２）で上位プロトコルの接続が完了した後に、デジタルカメラ１０１からの回線接続要求によるローカル通信であることが回線接続要求判別ステップ（ステップＳ９０３）によって判別されると、デジタルカメラ１０１から回線接続情報が転送される。携帯電話２０１は、回線接続情報保存ステップ（ステップＳ９０４）で、この回線接続情報の接続情報ファイルを一時保存する。次に、先のシーケンスで説明したようにテキストファイルの転送があると判断すると、メールのメッセージファイルとしてテキストファイルを一時保存する（ステップＳ９０６）。引き続き、添付すべき画像ファイルの転送が行われると画像データファイルを一時保存し（ステップＳ９０７）、次にデジタルカメラ１０１からの切断要求が来るまでローカル通信の接続を保持したまま待機する（ステップＳ９０８）。一連の通信が終了すると携帯電話１０１は、第１の実施の形態と同様にローカル通信終了時にメールの自動起動を行う。
【００７１】
次に、図１６を参照しながら携帯電話２０１のメールが起動後の処理について説明する。
【００７２】
図１６は、ローカル通信終了後のメール送信処理を示すフローチャートである。
【００７３】
ローカル通信が終了すると、携帯電話２０１では、まず先に保存された回線接続情報を読み出す（ステップＳ９０９）。次に、メール送信アドレス設定動作ステップ（Ｓ９１０）において、読み出した回線接続情報からｅ−ｍａｉｌアドレスをメーラーにセットする。次に、メールテキストの有無を判別するステップ（Ｓ９１１）において、転送すべきメッセージファイルが有るか否かを確認する。メッセージの入ったテキストファイルがある場合は（Ｓ９１１でＹＥＳ）、送信メッセージ設定動作ステップ（Ｓ９１２）で、このテキストファイルをメールメッセージとしてセットする。
【００７４】
その後、添付する画像ファイルを設定した後に公衆回線経由でメールの送信を行い一連の動作を終了する。
【００７５】
（第３の実施の形態）
次に、図２２から図３０までを参照しながら本発明の第３の実施の形態にかかるデータ転送方法について説明する。なお、データ転送方法を実施するシステムは第１の実施の形態と同様にデジタルカメラ１０１、携帯電話２０１、及び公衆回線網から構成されているので、それらの説明は省略する。
【００７６】
図２２は、第３の実施の形態に係るデータ転送方法を実施するデジタルカメラ１０１と携帯電話２０１との間のローカル通信シーケンスを示すシーケンスチャートである。
【００７７】
図２３及び図２４は、第３の実施の形態に係るデータ転送方法を実施するデジタルカメラ１０１におけるローカル通信モードの制御を示すフローチャートである。図２９は、ローカル通信モードの制御における画像選択動作を示すフローチャートである。図３０は、ローカル通信モードの制御における転送設定選択動作を示すフローチャートである。図２５〜図２８は、第３の実施の形態に係るデータ転送方法を実施する携帯電話２０１におけるローカル通信モードの制御を示すフローチャートである。
【００７８】
なお、図２９に示した画像選択動作は、図５と共通である。
【００７９】
第２の実施の形態では、ローカル通信において回線等の接続情報を画像入出力装置から転送する機能を付加することにより、登録情報を基に画像データ転送を行うか、転送された新たな情報を基に画像データ転送を行うかを選択できた。第３の実施の形態では、デジタルカメラ１０１において回線等の接続情報に加えローカル通信で転送される画像データを公衆回線に即時送信するか、画像データの転送先である携帯電話２０１に一旦蓄積させ、携帯電話２０１の操作によりメッセージを編集するなどした後に送信するかの指示情報を与える機能と、ローカル通信によりデジタルカメラ１０１から送られた回線等の接続情報に含まれる画像選択情報を基に、公衆回線接続機能を有する携帯電話２０１から、選択された画像データのサイズ等の情報を取得する機能と、取得した画像データの情報を用いて携帯電話２０１のバッファーの空き状況等の状態に応じてデジタルカメラ１０１から画像データを取得する機能を付加することにより、デジタルカメラ１０１において画像データの公衆回線への転送タイミングを選択でき、更にデジタルカメラ１０１から指定された画像データの転送転送動作において、携帯電話２０１の状態に応じて携帯電話２０１が任意のタイミングで画像データを転送することできる。
【００８０】
次に、デジタルカメラ１０１における、ローカル通信モードの主要な処理を説明する。
【００８１】
図２３に示した処理において、先ず、デジタルカメラ１０１のローカル通信モード切り替えスイッチ１０４を押すと、デジタルカメラ１０１はローカル通信モード（Ｓ１００１）に移行する。これによって、デジタルカメラ１０１の表示部１０２にはローカル通信モードの初期画面１００１（図１７参照）のメニュー表示がされる（ステップＳ１００２）。
【００８２】
ユーザーが選択スイッチ１０３を操作（キー選択操作）して（ステップＳ１００３でＹＥＳ）、初期画面１００１のメニューからローカル通信モードで使用できる機能一覧表示を選択すると（ステップＳ１００４でＹＥＳ）、ローカル通信で使用できる機能の一覧表示画面１００２が表示画面１０２に表示される（ステップＳ１００５）。この画面からユーザーが回線接続を選択すると（ステップＳ１００６でＹＥＳ）、最後に設定された情報を表示した接続情報設定画面１００３が接続設定動作（ステップＳ１００７）によって表示画面１０２に表示される。接続情報設定画面１００３は、宛先のニックネーム、インターネットサービスプロバイダーのアクセスポイント等の電話番号、メールアドレスの設定を行う画面である。
【００８３】
ここで、表示される情報は最終設定情報と記載されているが、例えば電話帳のように接続情報をニックネームにより管理するようなデータベースを用い、登録データを選択表示させることも可能である。
【００８４】
この接続設定動作が完了すると（ステップＳ１００７）、次にデジタルカメラ１０１は、転送設定動作ステップＳ１００８に移行する。
【００８５】
尚、転送設定動作については図３０にフローチャートを記載しているので、以下に図３０に従って転送設定動作について説明を行う。まず転送設定動作に移行すると(ステップＳ１０１８)、転送設定画面表示ステップＳ１０１９に進み、転送設定画面１００４を表示させる。この転送設定画面１００４は、転送された画像等のデータ処理要求の選択を行うための画面である。この画面で転送方法を選択した後に表示される各々のサブメニュー画面は図示しないが、ここで、ＦＴＰアップロードが選択された場合(ステップＳ１０２０でＹＥＳ)は、ステップＳ１０２１のＦＴＰ設定動作に移行し、上記の接続情報のほかに必要な情報（ＦＴＰサーバーの指定等）設定画面が表示され、この画面により設定確認及び変更を行い、設定が完了するとステップＳ１０２２に進み設定情報を保存し設定完了の判断ステップＳ１０２６へ進む。尚、本実施の形態では、転送設定のサブメニューとして記載したが、接続情報設定画面上または、別ページにより設定することも可能である。
【００８６】
また、転送設定画面１００４においてメールが選択されると(ステップＳ１０２３でＹＥＳ）、ステップＳ１０２４へ進み、転送先のメールアドレスの設定および必要に応じてメッセージの編集を行う。メール設定メニューの設定動作が終了すると、ステップＳ１０２４に進み、メールアドレス等の情報を保存すると共にメールの本文を作成テキストファイルとして保存し、設定完了の判断ステップＳ１０２６へ移行する。この設定完了の判断ステップＳ１０２６において設定が未完了と判断された場合(ステップＳ１０２６でＮＯ）は、前記動作を繰り返し種々の情報設定を繰り返す。また、設定完了の判断ステップＳ１０２６で設定が完了と判断されると、次いでステップＳ１０２７へ移行し、デジタルカメラ１０１から転送されたデータを携帯電話２０１において回線上へ即時転送させるか、携帯電話２０１に接続情報及び指定された画像ファイル等データを蓄積保存させるかを指定するための判断ステップＳ１０２７へ移行する。ここで、即時転送が選択された場合（ステップＳ１０２７でＹＥＳ）、ステップＳ１０２８へ進み、携帯電話２０１へ即時配信を要求するための情報を、前記各設定ファイルに追加し最終設定ファイルとして保存される。
【００８７】
また、携帯電話２０１へデータを蓄積させたい場合（ステップＳ１０２７でＮＯ）は、ステップＳ１０２９へ移行し、前記同様データ蓄積指示要求情報を設定ファイルに追加し、最終設定ファイルとして保存し、一連の転送設定動作を終了し、図２３のステップＳ１００９へ移行する。
【００８８】
画像選択動作ステップＳ１００９では、第１の実施形態同様に転送すべき画像の選択動作を行い、画像の選択操作が完了すると、確認画面表示ステップ（Ｓ１０１０）へ進み、登録画像確認画面１００８が表示される。ここで、登録画像確認画面１００８に表示された登録済みの画像がすべて削除された場合は、画像データを添付せずにテキストメールのみが転送されることとなる。
【００８９】
回線接続機能において、一連の接続設定が終了するとデジタルカメラは第１の実施の形態におけると同様に動作指示メニュー表示画面１０１１を表示させ、ユーザーからの動作指示を待機する（ステップＳ１０１１）。
【００９０】
動作指示メニュー表示画面１０１１からキー操作によって、端末検索を選択し、検索された端末から接続機器を選択し（ステップＳ１０１１でＹＥＳ）、接続指示操作によって接続要求が指示されると（ステップＳ１０１２でＹＥＳ）、デジタルカメラ１０１は第１の実施の形態における記載手順と同様にローカル通信動作ステップ（Ｓ１０１３）で下位プロトコルからローカル通信接続を開始し、ローカル通信の接続が完了すると、まず前記回線接続設定及び転送設定、画像選択設定で設定を行った回線接続情報を転送し、携帯電話２０１からのデータの取得要求を待機する(ステップＳ１０１４)。
【００９１】
ここで、携帯電話２０１から先に転送した接続設定ファイルに含まれる画像データ等のファイルを指定したデータ取得要求が受信されると(ステップＳ１０１４でＹＥＳ）、デジタルカメラ１０１では、この要求信号に従って１画像データファイル分のデータを一括もしくは分割して転送を行う。ここで、回線接続情報において複数の画像データファイルが指定されている場合、携帯電話２０１のデータバッファーがフルの状態になるか、もしくは指定されている全ての画像データファイルを取得するまで前記手順を繰り返す。なお、本実施形態ではデータとして画像データと記載しているが、転送されるデータは画像データのみならず、先に説明を行ったメッセージ等のテキストデータや画像に関連付けられた音声データファイル等も同様の手順により転送することが出来る。
【００９２】
この、データ転送が完了すると（ステップＳ１０１５でＹＥＳ）、デジタルカメラ１０１ではユーザーからの切断指示を待機し(ステップＳ１０１６)、切断指示がなされると（ステップＳ１０１６でＹＥＳ）ステップＳ１０１７へ進みローカル通信の切断動作を行った後ローカル通信モードを終了する。
【００９３】
次に、転送設定画面１００４においてメール転送が選択された場合の通信シーケンスについて図２２に沿って説明する。
【００９４】
デジタルカメラ１０１においてメールによる画像データ転送が選択された場合、上述の一連の手順により携帯電話２０１との間で下位プロトコルによる接続が行われ、次に上位プロトコルによるサービスの確認動作が行われる。携帯電話１０１がサポートしているサービスと要求サービスが一致していることが確認されると、デジタルカメラ１０１より送信先メールアドレス、転送画像情報などを含む回線接続情報が転送される。この回線接続情報を受信した携帯電話２０１は、はじめに回線接続情報を保存した後に、デジタルカメラ１０１で選択指定された画像ファイル名を抽出し、この選択された画像ファイルのデータ取得要求を順次デジタルカメラ１０１に送信する。このデータ取得要求を受けたデジタルカメラ１０１は、指定された画像データファイルを、取得要求に従って分割もしくは一括して携帯電話に対して転送する。この動作は前記同様携帯電話のバッファーがフルになるか、もしくは指定された全ての画像データファイルが転送されるまで繰り返される。本シーケンスチャートでは１画像データを連続して２回に分けて転送させる場合の例を示しているが、画像データファイルのファイルサイズが大きい場合は、更に複数回に分割されて転送される。また、指定された画像データファイルがローカル通信で一度に転送できるサイズの範囲に入っている場合、一度の画像転送要求で１画像データファイルが転送されることは言うまでもない。更に、画像データファイルの転送は携帯電話２０１からの指示により行われることから、携帯電話２０１の状態によって連続して要求することも、一旦転送を中断することも可能である。この画像データの転送終了後は通信状態表示画面操作による切断指示が出されるまで、通信路の接続は確保された状態となる。
【００９５】
ここで、図２２のシーケンス図では、動作を容易にするために画像データ転送前の指定された画像ファイルに関するサイズ等の情報取得手順及びテキストファイルをはじめとする関連データの転送手順は省いているが、例えば携帯電話２０１のデータバッファーの容量があまり無い場合や複数の画像データをデジタルカメラ１０１が指定してきた場合、携帯電話２０１のバッファーの空き状況に応じたデータ転送制御を行うために必要となる画像データサイズ情報の取得が行わる。
【００９６】
またテキストデータや音声データファイル等の関連データについても画像データと同様の手順により取得することができる。
【００９７】
次に、図２５〜図２８を参照しながら携帯電話２０１におけるローカル通信モードの制御について説明する。
【００９８】
上述の一連の動作により下位プロトコルによる接続動作が下位層接続動作ステップ（Ｓ１１０１）で完了し、サービス確認動作ステップ（Ｓ１１０２）で上位プロトコルの接続が完了した後に、デジタルカメラ１０１からの回線接続要求によるローカル通信であることがステップＳ１１０３によって判別されると、デジタルカメラ１０１から回線接続情報の転送を待機する。この回線接続情報が受信されると、携帯電話２０１は回線接続情報保存ステップ（Ｓ１１０４）で、この回線接続情報の接続情報ファイルを一時保存する。そしてステップＳ１１０５へ進み回線接続情報からデジタルカメラ１０１により転送を指定された画像データファイルのファイル名を抽出し、ステップＳ１１０６により、この指定された画像データファイルに関する画像サイズや画像ファイルサイズ等の情報取得要求をデジタルカメラ１０１に対して送信する。そしてこの画像サイズ情報が受信されるとステップＳ１１０７へ進み取得した画像サイズ情報を保存する。この画像サイズ情報の保存が終了すると、ステップＳ１１０８において回線接続情報に含まれている画像ファイル情報で指定された全ての画像データファイルに対する画像サイズ情報を取得したかどうかを判断し、全ての画像サイズ情報を取得したと判断した場合（ステップＳ１１０８でＹＥＳ）ステップＳ１１０９へ進み、回線接続情報において指定されている画像ファイルデータの取得要求をデジタルカメラ１０１に対して送信する。仮にステップＳ１１０８において全ての指定された画像ファイルに対する画像サイズ情報が未取得であると判断された場合（ステップＳ１１０８でＮＯ）は、再度画像サイズ情報取得要求送信ステップＳ１１０６へ移行し同情報の取得を行う。この一連の動作は全ての指定された画像データファイルの情報を取得し終えるまで続けられる。
【００９９】
回線接続情報で指定されている全ての画像データファイルの画像サイズ情報取得が完了すると、画像データ取得要求ステップＳ１１０９へ進み指定されている画像から一つの画像データファイルを選び、画像データ取得要求をデジタルカメラ１０１に送信する。画像データファイルの取得要求を送信すると、携帯電話２０１はステップＳ１１１０へ移行し指定した１画像データファイルの受信が完了したかどうかの判定を行い、１ファイル分の画像データが受信されると（ステップＳ１１１０でＹＥＳ）、ステップＳ１１１１で取得した画像データファイルを保存する。
【０１００】
データの保存が完了すると、次いで指定された全て画像データファイルを取得したかどうかを判断（ステップＳ１１１２）し、指定された全ての画像データファイルが取得されると（ステップＳ１１１２でＹＥＳ）ローカル通信の切断を待機し、ローカル通信が切断されると、次いでステップＳ１１１３により先に保存した回線接続情報を読み込み、メール送信かどうかの判断（ステップＳ１１１４）を行う。ここで、メール送信が選択されている場合はメーラーを起動し、メール送信が選択されていない場合は（ステップＳ１１１４でＮＯ）、ＦＴＰ等のデータ転送を行うためのアプリケーションを起動しローカル通信動作を終了する。
【０１０１】
また、取得した画像データファイル数の判断ステップＳ１１１２で、指定された全ての画像データファイルの取得が完了していないと判断されると、ステップＳ１１１５へ進み、携帯電話２０１のデータバッファーの空き領域と、次に取得すべき画像データファイルのサイズを比較し、バッファーサイズよりも画像ファイルが小さいかどうかの判断をステップＳ１１１６で行う。この時バッファーサイズよりも画像デーファイルのサイズが小さいと判断（ステップＳ１１１６でＮＯ）されると、再度ステップＳ１１０９へ移行し次の画像データファイルの取得動作を行う。この動作は、回線接続情報に含まれている画像データファイル名の、指定されている全てのファイルを取得し終えるか、または携帯電話２０１のデータバッファーがフルになるまで繰り返される。もし仮にバッファーサイズ判定ステップＳ１１１６でバッファーがフルだと判断（ステップＳ１１１６でＹＥＳ）されると、ステップＳ１１１７に移行し既に取得した画像データファイルの情報と、未取得の画像データファイル名を保存した後にローカル通信の切断動作に移行する。一連の通信が終了すると携帯電話１０１は、第１の実施の形態と同様にローカル通信終了時にメールの自動起動を行う。
【０１０２】
次に、図２７及び図２８を参照しながら携帯電話２０１のメールが起動後の処理について説明する。
【０１０３】
図２７及び図２８は、ローカル通信終了後のメール送信処理を示すフローチャートである。
【０１０４】
ローカル通信が終了すると、携帯電話２０１では、まず先に保存された回線接続情報を読み出す（ステップＳ１１１８）。次に、メール送信アドレス設定動作ステップ（Ｓ１１１９）において、読み出した回線接続情報からｅ−ｍａｉｌアドレスをメーラーにセットする。次に、メールテキストの有無を判別するステップ（Ｓ１１２０）において、転送すべきメッセージファイルが有るか否かを確認する。メッセージの入ったテキストファイルがある場合は（Ｓ１１２０でＹＥＳ）、送信メッセージ設定動作ステップ（Ｓ１１２１）で、このテキストファイルをメールメッセージとしてセットし、次に添付するデータを設定(ステップＳ１１２２)した後にステップＳ１１２３に移行し、回線接続情報によってメールの即時送信が指示されているかどうかの判断を行う。ここで即時配信が指示されている場合は、第２の実施形態と同様回線接続を行った後に公衆回線経由でメールの送信を行い一連の動作を終了する。
【０１０５】
一方、回線接続情報においてデータ蓄積が指示されている場合は、メーラーを起動した状態でメールの自動送信動作を終了する。
【０１０６】
本実施形態の説明では、画像ファイルの取得動作のみしか記載していないが、回線接続情報にテキストデータファイル名や、画像データファイルに関連した音声ファイル等情報が記載されている場合は、前記画像データファイルの取得手順と同様の取得手順によりデータの取得要求を送出しデータ転送が行われる。また、回線接続情報に画像データファイルに関連したデータファイルの情報が記載されていない場合においても、画像サイズ等の情報に関連したデータファイルの情報が記載されている場合は、この情報から関連データを取得させることも可能である。
【０１０７】
また、画像データファイルの取得方法において、本実施形態では一度に１画像データファイルを全て転送する構成で記載されているが、携帯電話２０１の持つバッファーを超える画像データファイルが指定されているような場合、画像データファイルの途中までを転送させた後に、回線接続を行って一部の画像データファイルを転送した後に、ローカル通信と回線接続を同時に行いながら逐次伝送を行うことも可能である。
【０１０８】
従って、ステップＳ１１１７のバッファーフル状態の処理においても、先に記載したローカル通信の切断処理の方法以外にも、ローカル通信接続を維持したまま、回線接続により画像伝送を行い、バッファーが空いた時点で指定された画像データファイルをデジタルカメラ１０１から取得する方法も可能である。
【０１０９】
なお、本実施の形態では添付すべき画像データが必ず有るものとして説明を行っているが、先にも記載したように画像選択動作において添付される画像ファイルの指定をすべて削除することが可能である。添付される画像ファイルの指定をすべて削除した場合は、画像データ判断で画像データが無く、なおかつ、テキストファイルの受信があるときは、テキストファイルのみの転送も可能である。
【０１１０】
また、接続情報設定画面１００３で設定された情報及び、転送画像選択画面１００６で設定された画像情報は各々ファイルとして保存されるが、この情報ファイルをＤＰＯＦ（Ｄｉｇｉｔａｌ  Ｐｒｉｎｔ  Ｏｒｄｅｒ  Ｆｏｒｍａｔ）などで生成されるファイルと共用する事も可能である。
【０１１１】
また、上記実施形態で説明を行った画像データファイルの指定情報やテキストファイル・音声ファイル等のファイル指定情報、メールアドレス、FTPの接続情報、即時送信指示等の転送設定情報を含む回線接続情報を、DPOFファイルと共用することも可能であり、ＤＰＯＦファイルと共用した場合、第３の実施形態に記載の手順においてはデジタルカメラ１０１から転送される回線接続情報が、このＤＰＯＦファイルとなる。
【０１１２】
また、上述した２つの実施の形態においては、転送すべき画像データをデジタルカメラ１０１（画像入出力装置）から携帯電話２０１（回線通信装置）に転送しているが、回線通信装置によっては装置本体に多くの画像ファイルを保存できるメモリーを持たないものが想定される。このような場合を想定し、画像入出力装置から転送する画像データのファイル情報を転送し、回線通信装置からバッファーに格納でき得る量の転送画像データを、画像入力装置から読み出す構成にしてもよい。
【０１１３】
また、この場合、回線通信装置の公衆回線接続タイミングは、画像データすべてを受け取った後である必要はなく、例えば、ローカル通信によりメール添付要求が受信され、回線通信装置のデータ蓄積バッファーがフルになるまでのデータを、画像入出力装置から出した時点で、メーラーを起動してメール送信を開始させ、残りの添付ファイルデータがある場合は、バッファーの空きに併せて逐次に画像入出力装置より読み出しながら公衆回線に転送してもよい。
【０１１４】
さらに、上述した２つの実施の形態においては、回線通信装置では携帯電話を例として説明しているが、図２１に示すように公衆回線にモデムを介して接続されたＰＣ１１０２や、ローカルエリアネットワークに接続されたＰＣでも同様の機能を実現することができ、ＰＣにおいては、容量の大きなハードディスクなどの記憶媒体を具備している場合が多いことから、画像入出力装置から回線接続要求により転送された画像データを、一時保存ではなくハードディスクなどの記憶媒体に保存する構成にしてもよい。
【０１１５】
このように、画像入出力装置に公衆回線通信で必要となる通信プロトコルやアプリケーションを実装すること無く、該装置の操作のみで容易に公衆回線接続通信が可能なので、ユーザーは複数の装置を操作する煩わしさから開放される。更に回線通信装置の持つ公衆回線通信アプリケーションを有効に活用することで、画像入出力装置に重複した機能を追加する必要が無くなり、プログラムを格納するＲＯＭ等の不要な部品によるコストアップを避けることができる。
【０１１６】
また、公衆回線接続通信で伝送する画像データは、公衆回線接続前に高速に転送できるから、モデムを介してダイアルアップを用いる場合に比べ画像入出力装置の消費電力を押さえることができる。
【０１１７】
また、回線通信装置がＰＣ等でありローカルエリアネットワークによりイントラネットに接続されている場合においては、メール機能を用いることによりメールサーバーを介して外部接続できるから、公衆回線に直接接続されていない機器からも容易に画像データを転送できる。
【０１１８】
更に、公衆回線接続装置にあらかじめローカル通信による回線接続通信要求時のデータ転送先を（例えば自宅のメールアドレスなどに）登録しておくことにより、ユーザーは画像入出力装置に面倒な設定を行うこと無く、容易にデータ転送を行わせることが可能となり、画像ファイルのバック手段として用いることもできる。
【０１１９】
また、画像選択手段により複数の画像を選択できるから、一度の公衆回線接続操作で複数の画像データを転送できる。
【０１２０】
【発明の効果】
以上詳細に説明したように、本発明によれば、回線通信装置に備えられたメールプログラムを有効に活用して、画像入出力装置から指定された電子メールアドレスへ送信することができるとともに、画像データを即時送信するか、回線通信装置で蓄積してメッセージを編集することを画像入出力装置から指示することが可能になる。
【図面の簡単な説明】
【図１】本発明の第１の実施の形態に係るデータ転送方法を実施するシステムの構成図である。
【図２】図１におけるデジタルカメラ１０１の背面図である。
【図３】第１の実施の形態に係るデータ転送方法を実施するデジタルカメラ１０１におけるローカル通信モードの制御を示すフローチャートの前半部分である。
【図４】第１の実施の形態に係るデータ転送方法を実施するデジタルカメラ１０１におけるローカル通信モードの制御を示すフローチャートの後半部分である。
【図５】ローカル通信モードの制御における画像選択動作を示すフローチャートである。
【図６】第１の実施の形態に係るデータ転送方法を実施する携帯電話２０１におけるローカル通信モードの制御を示すフローチャートである。
【図７】ローカル通信終了後のメール送信処理を示すフローチャートである。
【図８】ローカル通信モード中に表示部１０２に表示される各種の画面を例示する図である。
【図９】ローカル通信モード中に表示部１０２に表示される各種の画面を例示する図である。
【図１０】図１におけるデジタルカメラ１０１と携帯電話２０１との間のローカル通信シーケンスを示すシーケンスチャートである。
【図１１】第２の実施の形態に係るデータ転送方法を実施するデジタルカメラ１０１におけるローカル通信モードの制御を示すフローチャートの前半部分である。
【図１２】第２の実施の形態に係るデータ転送方法を実施するデジタルカメラ１０１におけるローカル通信モードの制御を示すフローチャートの後半部分である。
【図１３】ローカル通信モードの制御における画像選択動作を示すフローチャートである。
【図１４】第２の実施の形態に係るデータ転送方法を実施する携帯電話２０１におけるローカル通信モードの制御を示すフローチャートの前半部分である。
【図１５】第２の実施の形態に係るデータ転送方法を実施する携帯電話２０１におけるローカル通信モードの制御を示すフローチャートの後半部分である。
【図１６】ローカル通信終了後のメール送信処理を示すフローチャートである。
【図１７】ローカル通信モード中に表示部１０２に表示される各種の画面を例示する図である。
【図１８】ローカル通信モード中に表示部１０２に表示される各種の画面を例示する図である。
【図１９】ローカル通信モード中に表示部１０２に表示される各種の画面を例示する図である。
【図２０】デジタルカメラ１０１と携帯電話２０１との間のローカル通信シーケンスを示すシーケンスチャートである。
【図２１】データ転送方法を実施するシステムの他の構成図である。
【図２２】第３の実施形態に係るデジタルカメラ１０１と携帯電話２０１との間のローカル通信シーケンスを示すシーケンスチャートである。
【図２３】第３の実施の形態に係るデータ転送方法を実施するデジタルカメラ１０１におけるローカル通信モードの制御を示すフローチャートである。
【図２４】第３の実施の形態に係るデータ転送方法を実施するデジタルカメラ１０１におけるローカル通信モードの制御を示すフローチャートである。
【図２５】第３の実施の形態に係るデータ転送方法を実施する携帯電話２０１におけるローカル通信モードの制御を示すフローチャートである。
【図２６】第３の実施の形態に係るデータ転送方法を実施する携帯電話２０１におけるローカル通信モードの制御を示すフローチャートである。
【図２７】ローカル通信終了後のメール送信処理を示すフローチャートである。
【図２８】ローカル通信終了後のメール送信処理を示すフローチャートである。
【図２９】ローカル通信モードの制御における画像選択動作を示すフローチャートである。
【図３０】ローカル通信モードの制御における転送動作を示すフローチャートである。
【符号の説明】
１０１  デジタルカメラ
１０２  表示部
１０３  スイッチ
１０４  モード切り替えスイッチ
２０１  携帯電話
１１０１  デジタルカメラ
１１０２  パーソナルコンピュータ
１００３  接続情報設定画面
１００４  転送設定画面
【図１】
0003697180.tif 000002
【図２】
0003697180.tif 000003
【図３】
0003697180.tif 000004
【図４】
0003697180.tif 000005
【図５】
0003697180.tif 000006
【図６】
0003697180.tif 000007
【図７】
0003697180.tif 000008
【図８】
0003697180.tif 000009
【図９】
0003697180.tif 000010
【図１０】
0003697180.tif 000011
【図１１】
0003697180.tif 000012
【図１２】
0003697180.tif 000013
【図１３】
0003697180.tif 000014
【図１４】
0003697180.tif 000015
【図１５】
0003697180.tif 000016
【図１６】
0003697180.tif 000017
【図１７】
0003697180.tif 000018
【図１８】
0003697180.tif 000019
【図１９】
0003697180.tif 000020
【図２０】
0003697180.tif 000021
【図２１】
0003697180.tif 000022
【図２２】
0003697180.tif 000023
【図２３】
0003697180.tif 000024
【図２４】
0003697180.tif 000025
【図２５】
0003697180.tif 000026
【図２６】
0003697180.tif 000027
【図２７】
0003697180.tif 000028
【図２８】
0003697180.tif 000029
【図２９】
0003697180.tif 000030
【図３０】
0003697180.tif 000031